(57)【要約】本発明の歯科用咬合ナビ装置は、患者の顔面と歯の関係を基準採得する計測用部品を配置して設け、該計測用部品は、患者の口腔内に入れ噛んで咬合平面を固定する左右のバイトフォークと、カンペル（Ｃａｍｐｅｒ）平面Ｃを計測採得する左右の耳迄伸ばすカンペル設定ワイヤと、一点の眼窩点を計測採得する眼窩点指示ピンと、正中線Ｍを計測採得する正中線指示ロッド（ｒｏｄ）と、フランクフルト平面Ｆ上の左右の眼窩点を計測採得する眼窩点ポイントと、咬合平面Ｏを計測採得する咬合平面指示ロッドと、保持固定する高さ調整用ナットと螺合する螺子とで構成しているので、熟練を必要とするフェイスボウに代わり素早く短時間に審美的ポイントと基準ポイントの計測採得ができる小型軽量な歯科用咬合ナビ装置を得ることができる。
2004110296.tif 000002
【特許請求の範囲】
【請求項１】
熟練を必要とするフェイスボウに代わり素早く短時間に患者顔面の審美的ポイントと基準ポイントの計測採得ができる小型軽量な歯科用咬合ナビ装置であって、咬合器に装着して審美的にも機能的にも満足する補綴物を容易に製作できる該歯科用咬合ナビ装置（１００）は、患者の顔面と歯の関係を基準採得するよう配置して設けた計測用部品と、該計測用部品は、患者の口腔内に入れ噛んで咬合平面を固定する左右のバイトフォーク（７１）と、カンペル平面（Ｃ）を計測採得する左右の耳迄伸ばすカンペル設定ワイヤ（５１）と、一点の眼窩点を計測採得する眼窩点指示ピン（６１）と、正中線（Ｍ）を計測採得する正中線指示ロッド（４１）と、フランクフルト平面（Ｆ）上の左右の眼窩点を計測採得する眼窩点ポイント（４２１）と、咬合平面（Ｏ）を計測採得する咬合平面指示ロッド（４３）と、支持台（８０）を保持して回転する高さ調整用ナット（２６）と螺合する螺子（２１）と、固定用の螺子（２８）とを設けた構成であることを特徴とする歯科用咬合ナビ装置。
【請求項２】
上記記載の歯科用咬合ナビ装置であって、該歯科用咬合ナビ装置（１００）は、計測用部品の一つであるバイトフォーク（７１）を左右に設け、左右の該バイトフォーク（７１）を支持軸と一体に設け、該支持軸を支持台（８０）と支持台（８１）とに固着して設け、患者の口腔の大きさに合わせるようにバイトフォーク（７１）の形状を、大型（Ｌ）、中型（ｍ）、小型（Ｓ）として設け、バイトフォーク（７１）を使用する場合は、患者の咬合歯型が残るようモデリング用コンパウンドをバイトフォーク（７１）の両面に塗布する構成であることを特徴とする請求項１記載の歯科用咬合ナビ装置。
【請求項３】
前記記載の歯科用咬合ナビ装置であって、該歯科用咬合ナビ装置（１００）は、計測用部品の一つである交換着脱するバイトフォーク（７２）を左右に設け、患者に使用するバイトフォーク（７２）は、院内感染を防止するため患者が代わるたびに交換処分して、該左右のバイトフォーク（７２）は設けた螺子（７２１）と、螺子（８１１）とを用いて交換着脱するよう設けた支持軸に螺着して支持して、バイトフォーク（７２）は、支持軸上で方向を微調整できるように螺子（７２１）と、螺子（７２１）とを受止めるナット（７２２）と、横方向に微調整できる長方形の螺子孔（７２３）とを設け、患者の口腔の大きさに合わせるようにバイトフォーク（７２）の形状を、大型（Ｌ）、中型（ｍ）、小型（Ｓ）として設け、バイトフォーク（７２）の支持軸は、支持台（８０）と、支持台（８１）とに固着して設け、バイトフォーク（７２）を使用する場合は、患者の咬合歯型が残るようモデリング用コンパウンドをバイトフォーク（７２）の両面に塗布する構成であることを特徴とする請求項１記載の歯科用咬合ナビ装置。
【請求項４】
前記記載の歯科用咬合ナビ装置であって、該歯科用咬合ナビ装置（１００）は、計測用部品の一つである交換着脱するバイトスプーン（７３）を左右に設け、患者に使用するバイトスプーン（７３）は、院内感染を防止するため患者の代わるたびに交換処分して、該左右のバイトスプーン（７３）は設けた螺子（７２１）と、螺子（８１１）とを用いて交換着脱できるよう設けた支持軸に螺着して支持して、バイトスプーン（７３）は、支持軸上で方向を微調整できるように螺子（７２１）と、螺子（７２１）を受止めるナット（７２２）と、横方向に微調整できる長方形の螺子孔（７２３）とを設け、患者の口腔の大きさに合わせるようにバイトスプーン（７３）の形状を大型（Ｌ）、中型（ｍ）、小型（Ｓ）として設け、バイトスプーン（７３）の支持軸は、支持台（８０）と、支持台（８１）とに固着して設け、バイトスプーン（７３）を使用する場合は、患者の側面歯型が残るようモデリング用コンパウンドをバイトスプーン（７３）の内側側面に塗布する構成であることを特徴とする請求項１と３記載の歯科用咬合ナビ装置。
【請求項５】
前記記載の歯科用咬合ナビ装置であって、該歯科用咬合ナビ装置（１００）は、計測用部品の一つであるカンペル平面（Ｃ）を計測採得するカンペル設定ワイヤ（５１）と、該カンペル設定ワイヤ（５１）を固定する固定軸（５４）とを支持台（８０）の左右に１個以上を設け、該固定軸（５４）は、支持台（８０）を貫通して上下移動するように設け、支持台（８０）に固定軸（５４）と同数に設けた螺子（５５）によって貫通した固定軸（５４）を固定して設け、該左右のカンペル設定ワイヤ（５１）の先端は、左右の耳に引っ掛け固定する耳引っ掛け輪（５２）と、固定輪（５３）とを設け、該固定軸（５３）は補綴物を製作するとき咬合器のイヤーロケーションピン（９３）に引っ掛け固定する位置に設け、耳に引っ掛けたカンペル設定ワイヤ（５１）の片方は固定軸（５４）の孔を通して螺子で固定して設けた構成であることを特徴とする請求項１ないし４記載の歯科用咬合ナビ装置。
【請求項６】
前記記載の歯科用咬合ナビ装置であって、該歯科用咬合ナビ装置（１００）は、計測用部品の一つである眼窩点指示ピン（６１）を設け、一点の眼窩点を計測採得する該眼窩点指示ピン（６１）を眼窩点指示軸（６２）の孔を貫通して螺子（６３）で固定して設け、眼窩点指示ピン（６１）は眼窩点設定範囲を回転自在に指示して設定するように眼窩点指示軸（６２）の一方を球形に設け、該眼窩点指示軸（６２）の一方の球形を嵌め込む支持台（８０）に嵌合部（６５）を設け、嵌合部（６５）に嵌め込んだ球形は眼窩点設定範囲を回転自在に動いて指定した個所を螺子（６４）で調節して固定するように設けた構成であることを特徴とする請求項１ないし４記載の歯科用咬合ナビ装置。
【請求項７】
前記記載の歯科用咬合ナビ装置であって、該歯科用咬合ナビ装置（１００）は、計測用部品の一つである咬合平面指示ロッド（４３）と、正中線指示ロッド（４１）と、左右に眼窩点ポイント（４２１）とを設け、該咬合平面指示ロッド（４３）は保持して設けた筒状十字型の咬合平面保持部（４９）を貫通して螺子（４７）で固定して設け、該咬合平面保持部（４９）は支持柱（４１０）に固着支持して設け、該支持柱（４１０）を支持管（６２３）に挿入して螺子（４１１）で固定して設け、該支持管（６２３）の一方を球形として支持台（４０）に嵌め込んで設け、傾斜できる支持管（６２３）を螺子（４５）で固定して設け、支持台（４０）は嵌合して水平にスライドするように裏を山型に設け、支持台（８１）に溝（８２）を設け、支持台（８１）に位置を示す目盛（８４）を設け、支持台（８１）と嵌合した支持台（４０）は位置を決めて螺子（６４３）で固定して設けた構成であることを特徴とする請求項１ないし４記載の歯科用咬合ナビ装置。
【請求項８】
前記記載の歯科用咬合ナビ装置であって、該歯科用咬合ナビ装置（１００）は、計測用部品の一つである咬合平面指示ロッド（４３）と、正中線指示ロッド（４１）と、左右に眼窩点ポイント（４２１）とを設け、該正中線指示ロッド（４１）は、筒状十字型の咬合平面保持部（４９）の上方に挿入して螺子（４６）で固定して設け、筒状十字型の咬合平面保持部（４９）の下方を上記記載の支持柱（４１０）で固着支持して設け、正中線指示ロッド（４１）の上下移動は螺子（４６）を調節して固定して設け、正中線指示ロッド（４１）の傾斜は螺子（４５）を調節して固定して設け、正中線指示ロッド（４１）の水平方向の移動は螺子（６４３）を調節して支持台（４０）を移動できるように設けた構成であることを特徴とする請求項１ないし４と７記載の歯科用咬合ナビ装置。
【請求項９】
前記記載の歯科用咬合ナビ装置であって、該歯科用咬合ナビ装置（１００）は、計測用部品の一つである咬合平面指示ロッド（４３）と、正中線指示ロッド（４１）と、左右に眼窩点ポイント（４２１）とを設け、該眼窩点ポイント（４２１）は、眼窩点指示ロッド（４２）に貫通してスライドして保持固定するように螺子を設け、該眼窩点指示ロッド（４２）は、筒状Ｔ字型の眼窩点保持部（４８）を貫通して螺子（４８１）で保持固定して設け、筒状Ｔ字型の眼窩点保持部（４８）は正中線指示ロッド（４１）に固着支持して設け、該正中線指示ロッド（４１）を筒状十字型の咬合平面保持部（４９）に挿入して螺子（４６）で固定して設け、眼窩点ポイント（４２１）の上下移動は筒状十字型の咬合平面保持部（４９）の螺子（４６）を調節して固定して設け、眼窩点ポイント（４２１）の傾斜は螺子（４５）を調節して固定して設け、眼窩点ポイント（４２１）の水平方向の移動は螺子（６４３）を調節して支持台（４０）を移動して設けた構成であることを特徴とする請求項１ないし４と７と８記載の歯科用咬合ナビ装置。
【請求項１０】
前記記載の歯科用咬合ナビ装置であって、該歯科用咬合ナビ装置（１００）は、計測用部品の一つである固定台（２０）を設け、該固定台（２０）は、歯科用咬合ナビ装置（１００）を保持固定して計測採得状態を確認するとき、或いは咬合器へ装着する時用いて、コ型の固定台（２０）は一対の固定用螺子（２３）と、咬合器の形状に合わせ装着できるように１個以上の螺子孔（２４）と、歯科用咬合ナビ装置（１００）の高さ調整用ナット（２６）を固定するため嵌め込む凹型をした固定溝（２２）とを設け、該固定溝（２２）に嵌め込む高さ調整用ナット（２６）を押圧固定する山型の固定栓（２５）とを設けた構成であることを特徴とする請求項１ないし９記載の歯科用咬合ナビ装置。
【請求項１１】
上記記載の歯科用咬合ナビ装置であって、該歯科用咬合ナビ装置（１００）は、計測用部品の一つである前歯人工歯排列板（４３１）を備え、歯科用咬合ナビ装置（１００）で咬合得採により決定した患者の正中線（Ｍ）を基準に、患者の上顎前歯湾曲面と一致する上顎前歯人工歯左右の３本をワックスで貼り付け保持できる角度と傾斜を設けた上顎前歯湾曲部と、該上顎前歯湾曲部を保持するように設けた保持ロッドと、該保持ロッドは咬合平面指示ロッド（４３）と交換差し替え使用できて、筒型十字型の咬合平面保持部（４９）を貫通保持して螺子（４７）で固定できるように設け、前歯人工歯排列板（４３１）は患者前歯の湾曲面に合致できる大きさとして大型（Ｌ）と、中型（ｍ）と、小型（Ｓ）とを設けた構成であることを特徴とする請求項１〜４、７〜９のいずれかに記載の歯科用咬合ナビ装置。
【請求項１２】
上記記載の歯科用咬合ナビ装置であって、該歯科用咬合ナビ装置（１００）は、計測用部品の一つである臼歯人工歯咬合平面板（４３２）であって、該臼歯人工歯咬合平面板（４３２）は、上顎臼歯人工歯の咬合排列が行えるよう患者の口腔の咬合床の大きさに合わせた大型（Ｌ）と、中型（ｍ）と、小型（Ｓ）との大きさに設けた平面板と、該平面板を保持するように設けた保持ロッドと、該臼歯人工歯咬合平面板（４３２）の保持ロッドは、咬合平面指示ロッド（４３）あるいは、前歯人工歯排列板（４３１）と交換差し替え使用できて、筒型十字型の咬合平面保持部（４９）を貫通保持して螺子（４７）で固定できるように設け、臼歯人工歯咬合平面板（４３２）の保持ロッドを保持した歯科用咬合ナビ装置（１００）を固定器（２０）に装着し、上記記載の前歯人工歯排列板（４３１）で決められた上顎前歯人工排列を基準として上顎前歯人工排列された咬合床に、上顎臼歯人工歯の咬合排列が行える構成であることを特徴とする請求項１〜４、７〜９のいずれかに記載の歯科用咬合ナビ装置。
【発明の詳細な説明】
【背景技術】  本発明は、歯科医より患者用の補綴物を提供するに当たりフェイスボウを用いて患者の顔面と歯の関係を採得する歯科用咬合ナビ装置に関する。詳しくは、歯科医の立場でフェイスボウを用い観察する口腔内と、採得された該フェイスボウを用いて補綴物を製作する歯科技工士の立場で咬合器に装着して観察する口腔内が共通の概念で歯科医療を行い得ることが望まれる。操作性の困難なフェイスボウに代わる歯科用咬合ナビ装置であって、該歯科用咬合ナビ装置によって審美的にも機能的にも満足する補綴物を提供できる歯科用咬合ナビ装置に関する。
従来から歯科医より患者用の補綴物を提供するに当たり患者の顔面をフェイスボウ（図示せず）を用いて計測採得する。患者顔面を計測する主なポイントは、正中線Ｍと、フランクフルト平面Ｆと、カンペル平面Ｃと、咬合平面Ｏ等である。
患者の顔面を計測採得したフェイスボウは、補綴物を製作する歯科技工士へ渡る。フェイスボウの構造から歯科医の患者顔面を観察する口腔内と、歯科技工士の観察する模型上の口腔内とが共通の概念とならないフェイスボウである。共通の概念に至るまでにはフェイスボウの取扱いに熟練を必要とした。また、患者顔面の審美的なポイントまでを計測できるフェイスボウの構造ではない。計測採得したフェイスボウを歯科医より歯科技工士へ渡る物流段階で、正しく計測ができたにも関わらずフェイスボウが大きく梱包が煩雑で螺子等が緩み不正確な情報で伝えられることもある。不正確であることに気が付かない状態で補綴物を製作すると、製作した補綴物が患者に適合しないので、再度歯科医による患者の計測採得から開始することになる。
第１図は、開示されている患者の顔面計測の一例を示した図である。歯科医は、通常フェイスボウを用いて患者の顔面と歯の関係を採得される。開示された特開平１０−２９５７０７は、審美的咬合平面の決定装置を用いて採得される例である。符号を説明する。不明な符号は推定した。フェイスボウ１と、審美的咬合平面決定ワイヤ５と、眼窩点支持ロッド６と、バイトフォーク７と、咬合平面板８と、両瞳孔１０と、正中線棒１３と、取付具１４等の構成である。図に示すようにフェイスボウである審美的咬合平面の決定装置の各部品が顔面を遮断する配置となるので正面から顔面と歯の関係を観察することができない。
第２図は、第１図の審美的咬合平面の決定装置を咬合器に装着した斜視図である。
審美的咬合平面の決定装置を用いて患者の顔面と歯の関係を採得されたフェイスボウトランスファを補綴物の製作のため歯科技工士は、咬合器に装着する。該審美的咬合平面の決定装置を装着した咬合器を正面から観察すると、咬合器１２に装着されたフェイスボウ１と、ワイヤ５と、眼窩点支持ロッド６と、バイトフォーク７と、咬合平面板８と、両瞳孔１０と、正中線棒１３と、取付具１４等の構成であるため、該フェイスボウである審美的咬合平面の決定装置の部品が咬合平面を遮蔽する状態になり正面から観察できないため審美的な補綴物の製作は困難である。
また、歯科医は、取扱いに熟練を必要とする各種フェイスボウを用いて患者の顔面と歯の関係を咬合採得される。採得され該フェイスボウを用いて補綴物の製作を行う歯科技工士は、全調節性咬合器あるいは、半調節性咬合器に装着する。歯科医療を行うためには歯科医の観察する口腔内と、歯科技工士の観察する口腔内が共通の概念で歯科医療を行い得ることが望まれる。咬合採得されたフェイスボウを、指定された咬合器に装着して観察した模型が同じ環境にあることが理想である。採得されたフェイスボウを歯科技工士が咬合器に装着して補綴物を製作するとき該フェイスボウの計測用部品は審美的な顔面のポイントを表現できる構造ではないこと、また、計測用部品が遮蔽するので正面から観察し難いこと、止む無く歯科技工士は、患者の顔面と歯の関係を経験と直感により先ず正中線と、中切歯の先端を想定して試行錯誤しながら補綴物を製作している。
上記記載のように、歯科医による患者の顔面と歯の関係を基準採得するフェイスボウは取扱いに熟練を必要としていること、フェイスボウの計測用部品では構成上審美的ポイントを表現できないこと、また、フェイスボウの計測用部品が正面を遮蔽すること、また、開示されている審美的咬合平面の決定装置では、必要な模型とする顔面の各ポイントが正面から観察できないこと、開示されているフェイスボウ及びこれに代わる測定装置では、模型となる顔面の必要な各ポイントである正中線と、フランクフルト平面と、カンペル平面とが見え難いこと、馬蹄形であるバイトフォークによって咬合平面が遮蔽され見え難いこと、正しい顎の高さを観察して正しい正中線と、中切歯の先端とを決定できないこと、正しく採得されても審美的な必要なポイントを決定することがきない構成である。
また、歯科医による患者の全部床義歯を製作するために患者の口腔内の精密印象採得が行われ、精密印象採得により患者の咬合床は製作される。全部床義歯を製作するために咬合床をつくり咬合採得し石膏模型を咬合器に取付ける。患者の上顎前歯排列は歯科医により患者顔面の正中線を基準として中切歯の先端から決めることが必要とされている。歯科医師の上顎前歯排列を助けるために人工歯排列軸正中線位置決定器具とか、義歯製作装置等の各種器具が公開されているが、患者の頭蓋と顔面に対する基準点やその咬合採得の位置関係から排列できるような構成ではない。それは、中央位置止め金具とか、既成の人工歯モールド用の前歯排列とか、臼歯部排列等が準備され、目的に応じて器具を取り替え、付け替える等の装置であって、画一的に既成の部品を組み合わせて製作することはできるが、完成した全部床義歯を患者の微妙な感覚に一致させ、機能的と感じさせるためには、幾度となく全部床義歯のやり直しを必要とする。
本発明は以上のような従来の欠点に鑑み、熟練を必要とすることなく素早く短時間に正確に行えるフェイスボウに代わる小型軽量で審美的ポイントと基準ポイントとを計測採得ができる歯科用咬合ナビ装置であって、補綴物を製作する歯科技工士は、計測採得された歯科用咬合ナビ装置を用いて咬合器に装着して、歯科用咬合ナビ装置の各測定用部品に遮蔽されることなく物理的に正中線と、左右の眼窩点と、１点の眼窩点と、フランクフルト平面と、カンペル平面と、咬合平面等が模型上で決定できること、咬合平面を遮蔽しないバイトフォークの形状とすること、左右の中切歯より正しい正中線とを決定できること、計測採得値が緩むことなく物流が行えること、計測採得された歯科用咬合ナビ装置を咬合器に装着して審美的にも機能的にも満足する補綴物を容易に製作できる歯科用咬合ナビ装置を提供することを目的としている。
また、歯科用咬合ナビ装置に位置決めされた患者の頭蓋と顔面との基準ポイントと、顔面と、顔立と等を観察して理論的見地から勘案した上顎前歯人工歯排列と、上顎臼歯人工歯排列が行えて、審美的にも機能的にも満足できる全部床義歯あるいは部分床義歯を製作できる歯科用咬合ナビ装置を提供することを目的としている。
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【発明の開示】
上記目的を達成するために、本発明は、熟練を必要とするフェイスボウに代わり素早く短時間に患者顔面の審美的ポイントと基準ポイントの計測採得ができる小型軽量な歯科用咬合ナビ装置であって、咬合器に装着して審美的にも機能的にも満足する補綴物を容易に製作できる該歯科用咬合ナビ装置１００は、患者の顔面と歯の関係を基準採得するよう計測用部品を配置して設けた。該計測用部品は、患者の口腔内に入れ噛んで咬合平面を固定する左右のバイトフォーク７１と、カンペル（Ｃａｍｐｅｒ）平面Ｃを計測採得する左右の耳迄伸ばすカンペル設定ワイヤ５１と、一点の眼窩点を計測採得する眼窩点指示ピン６１と、正中線を計測採得する正中線指示ロッド（ｒｏｄ）４１と、フランクフルト平面Ｆ上の左右の眼窩点を計測採得する眼窩点ポイント４２１と、咬合平面Ｏを計測採得する咬合平面指示ロッド４３と、支持台８０を保持して回転できる高さ調整用ナット２６と螺合する螺子２１と、高さ調整用ナット２６を固定する螺子２８とで歯科用咬合ナビ装置を構成している。
また、請求項２記載の発明では、請求項１記載の歯科用咬合ナビ装置であって、前記歯科用咬合ナビ装置１００は、計測用部品の一つであるバイトフォーク７１を左右に設けた。該左右のバイトフォーク７１を支持軸と一体に設け、支持軸によって支持する。支持軸は、支持台８０と、支持台８１とに固着して設けた。患者の口腔の大きさに合わせるようにバイトフォーク７１の形状を、大型（Ｌ）、中型（ｍ）、小型（Ｓ）として設けた。バイトフォーク７１を使用する場合は、患者の咬合歯型が残るようモデリング用コンパウンドをバイトフォーク７１の両面に塗布する構成の歯科用咬合ナビ装置である。
また、請求項３記載の発明では、請求項１記載の歯科用咬合ナビ装置であって、前記歯科用咬合ナビ装置１００は、計測用部品の一つである交換着脱するバイトフォーク７２を左右に設けた。患者に使用するバイトフォーク７２は、院内感染を防止するため患者が代わるたびに交換処分する。該左右のバイトフォーク７２は設けた螺子７２１と、螺子８１１とを用いて交換着脱できるよう設けた支持軸に螺着して支持する。バイトフォーク７２は、支持軸上で方向を微調整できるように螺子７２１と、螺子７２１を受止めるナット７２２と、横方向に微調整できる長方形の螺子孔７２３とを設けた。患者の口腔の大きさに合わせるようにバイトフォーク７２の形状を、大型（Ｌ）、中型（ｍ）、小型（Ｓ）として設けた。バイトフォーク７２の支持軸は、支持台８０と、支持台８１とに固着して設けた。バイトフォーク７２を使用する場合は、患者の咬合歯型が残るようモデリング用コンパウンドをバイトフォーク７２の両面に塗布する構成の歯科用咬合ナビ装置である。
また、請求項４記載の発明では、請求項１と３記載の歯科用咬合ナビ装置であって、前記歯科用咬合ナビ装置１００は、計測用部品の一つである交換着脱する歯列側面押圧板（以下：バイトスプーンと称する）７３を左右に設けた。患者に使用するバイトスプーン７３は、院内感染を防止するため患者の代わるたびに交換処分する。該左右のバイトスプーン７３は設けた螺子７２１と、螺子８１１とを用いて交換着脱できるよう設けた支持軸に螺着して支持する。バイトスプーン７３は、支持軸上で方向を微調整できるように螺子７２１と、螺子７２１を受止めるナット７２２と、横方向に微調整できる長方形の螺子孔７２３とを設けた。患者の口腔の大きさに合わせるようにバイトスプーン７３の形状を大型（Ｌ）、中型（ｍ）、小型（Ｓ）として設けた。バイトスプーン７３の支持軸は、支持台８０と、支持台８１とに固着して設けた。バイトスプーン７３を使用する場合は、患者の側面歯型が残るようモデリング用コンパウンドをバイトスプーン７３の内側側面に塗布する構成の歯科用咬合ナビ装置である。
また、請求項５記載の発明では、請求項１ないし４記載の歯科用咬合ナビ装置であって、前記歯科用咬合ナビ装置１００は、計測用部品の一つであるカンペル（Ｃａｍｐｅｒ）平面Ｃを計測採得するカンペル設定ワイヤ５１と、該カンベル設定ワイヤ５１を固定する固定軸５４とを支持台８０の左右に１個以上を設けた。該固定軸５４は支持台８０を貫通して上下移動するように設けて、支持台８０に固定軸５４と同数に設けた螺子５５によって固定軸５４を固定する。左右のカンペル設定ワイヤ５１の先端は、左右の耳に引っ掛け固定する耳引っ掛け輪５２と、固定輪５３とを設けた。該固定輪５３は補綴物を製作するとき咬合器のイヤーロケーションピン９３に引っ掛け固定する位置に設けた。耳に引っ掛けたカンペル設定ワイヤ５１の片方は固定軸５４に設けた孔を通して螺子で固定するように設けた構成の歯科用咬合ナビ装置である。
また、請求項６記載の発明では、請求項１ないし４記載の歯科用咬合ナビ装置であって、前記歯科用咬合ナビ装置１００は、計測用部品の一つである眼窩点指示ピン６１を設けた。一点の眼窩点を計測採得する該眼窩点指示ピン６１は眼窩点指示軸６２の孔を貫通して螺子６３で固定して設けた。眼窩点指示ピン６１は眼窩点設定範囲を回転自在に指示して設定するように眼窩点指示軸６２の一方を球形に設けた。該眼窩点指示軸６２の一方の球形を嵌め込む支持台８０に嵌合部６５を設けた。嵌合部６５に嵌め込まれた球形は眼窩点設定範囲を回転自在に動いて指定した個所で螺子６４を調節して固定するように設けた構成の歯科用咬合ナビ装置である。
また、請求項７記載の発明では、請求項１ないし４記載の歯科用咬合ナビ装置であって、前記歯科用咬合ナビ装置１００は、計測用部品の一つである咬合平面指示ロッド４３と、正中線指示ロッド（ｒｏｄ）４１と、左右に眼窩点ポイント４２１とを設けた。該咬合平面指示ロッド４３は保持して設けた筒状十字型の咬合平面保持部４９を貫通して螺子４７で固定して設けた。該咬合平面保持部４９は支持柱４１０に固着支持して設けた。該支持柱４１０を支持管６２３に挿入して螺子４１１で固定して設けた。該支持管６２３の一方を球形として支持台４０に嵌め込んで設けた。傾斜できる支持管６２３は螺子４５で固定して設けた。支持台４０は嵌合して水平にスライドするように裏を山型に設けた。支持台８１に溝８２を設けた。支持台８１に支持台４０を嵌合させる。支持台８１に位置を示す目盛８４を設けた。支持台８１と嵌合した支持台４０は位置を決めて螺子６４３で固定して設けた構成の歯科用咬合ナビ装置である。
また、請求項８記載の発明では、請求項１ないし４と７記載の歯科用咬合ナビ装置であって、前記歯科用咬合ナビ装置１００は、計測用部品の一つである咬合平面指示ロッド４３と、正中線指示ロッド（ｒｏｄ）４１と、左右に眼窩点ポイント４２１とを設けた。該正中線指示ロッド４１は、筒状十字型の咬合平面保持部４９に挿入して螺子４６で固定して設けた。筒状十字型の咬合平面保持部４９は上記記載の支持柱４１０で支持して設けた。正中線指示ロッド４１の上下移動は螺子４６を調節して固定する。正中線指示ロッド４１の傾斜は螺子４５を調節して固定する。正中線指示ロッド４１の水平方向の移動は螺子６４３を調節して支持台４０を移動できるように設けた構成の歯科用咬合ナビ装置である。
また、請求項９記載の発明では、請求項１ないし４と７と８記載の歯科用咬合ナビ装置であって、前記歯科用咬合ナビ装置１００は、計測用部品の一つである咬合平面指示ロッド４３と、正中線指示ロッド（ｒｏｄ）４１と、左右に眼窩点ポイント４２１とを設けた。該眼窩点ポイント４２１は、眼窩点指示ロッド４２に貫通してスライドして保持固定するように螺子を設けた（眼窩点ポイント４２１は、眼窩点指示ロッド４２で補うことで設けない場合もある。）該眼窩点指示ロッド４２は、筒状Ｔ字型の眼窩点保持部４８を貫通して螺子４８１で保持固定して設けた。筒状Ｔ字型の眼窩点保持部４８は正中線指示ロッド４１に固着支持して設けた。該正中線指示ロッド４１を筒状十字型の咬合平面保持部４９に挿入して螺子４６で固定して設けた。眼窩点ポイント４２１の上下移動は筒状十字型の咬合平面保持部４９の螺子４６を調節して固定する。眼窩点ポイント４２１の傾斜は螺子４５を調節して固定する。眼窩点ポイント４２１の水平方向の移動は螺子６４３を調節して支持台４０を移動して設けた構成の歯科用咬合ナビ装置である。
また、請求項１０記載の発明では、請求項１ないし９記載の歯科用咬合ナビ装置であって、前記歯科用咬合ナビ装置１００は、計測用部品の一つである固定台２０を設けた。固定台２０は、歯科用咬合ナビ装置１００を保持固定して計測採得状態を確認するとき、或いは咬合器へ装着する時用いる。コ型の固定台２０に一対の固定用螺子２３と、咬合器の形状に合わせ装着できるように複数個の螺子孔２４と、歯科用咬合ナビ装置１００の高さ調整用ナット２６を固定するため嵌め込む凹型をした固定溝２２とを設けた。該固定溝２２に嵌め込む高さ調整用ナット２６を押圧固定する山型の固定栓２５とを設けた構成の歯科用咬合ナビ装置である。
また、請求項１１記載の発明では、請求項１〜４、７〜９のいずれかに記載の歯科用咬合ナビ装置であって、該歯科用咬合ナビ装置（１００）は、計測用部品の一つである前歯人工歯排列板（４３１）を備え、歯科用咬合ナビ装置（１００）で咬合得採により決定した患者の正中線（Ｍ）を基準に、患者の上顎前歯湾曲面と一致する上顎前歯人工歯左右の３本をワックスで貼り付け保持できる角度と傾斜を設けた上顎前歯湾曲部と、該上顎前歯湾曲部を保持するように設けた保持ロッドと、該保持ロッドは咬合平面指示ロッド（４３）と交換差し替え使用できて、筒型十字型の咬合平面保持部（４９）を貫通保持して螺子（４７）で固定できるように設け、前歯人工歯排列板（４３１）は患者前歯の湾曲面に合致できる大きさとして大型（Ｌ）と、中型（ｍ）と、小型（Ｓ）とを設けた歯科用咬合ナビ装置である。
また、請求項１２記載の発明では、請求項１〜４、７〜９のいずれかに記載の歯科用咬合ナビ装置であって、該歯科用咬合ナビ装置（１００）は、計測用部品の一つである臼歯人工歯咬合平面板（４３２）であって、該臼歯人工歯咬合平面板（４３２）は、上顎臼歯人工歯の咬合排列が行えるよう患者の口腔の咬合床の大きさに合わせた大型と、中型と、小型との大きさに設けた平面板と、該平面板を保持するように設けた保持ロッドと、該臼歯人工歯咬合平面板（４３２）の保持ロッドは、咬合平面指示ロッド（４３）あるいは、前歯人工歯排列板（４３１）と交換差し替え使用できて、筒型十字型の咬合平面保持部（４９）を貫通保持して螺子（４７）で固定できるように設け、臼歯人工歯咬合平面板（４３２）の保持ロッドを保持した歯科用咬合ナビ装置（１００）を固定器（２０）に装着し、上記記載の前歯人工歯排列板（４３１）で決められた上顎前歯人工排列を基準として上顎前歯人工排列された咬合床に、上顎臼歯人工歯の咬合排列が行える構成である歯科用咬合ナビ装置である。
【図面の簡単な説明】  第１図は従来の患者の顔面計測の一例を示した正面図。
第２図は第１図の審美的咬合平面の決定装置を咬合器に装着した斜視図。
第３図は本発明を実施するための最良の第１の形態の歯科用咬合ナビ装置の斜視図。
第４図は本発明を実施するための最良の第１の形態の患者顔面を計測する主なポイントを示した基準面の図。
第５図は本発明を実施するための最良の第１の形態の正中線指示ロッドと、左右の眼窩点ポイントと、咬合平面指示ロッドとの斜視図。
第６図は本発明を実施するための最良の第１の形態の咬合平面指示ロッドの支持台とそれを支持する支持台の斜視図。
第７図は本発明を実施するための最良の第１の形態の眼窩点指示ピンの断面図。
第８図は本発明を実施するための最良の第１の形態の患者顔面を正面から見た主な計測ポイント図。
第９図は本発明を実施するための最良の第１の形態の歯科用咬合ナビ装置を用いて正面から顔面を観察した図。
第１０図は本発明を実施するための最良の第１の形態の固定台の斜視図。
第１１図は本発明を実施するための最良の第１の形態の固定台を用いて歯科用咬合ナビ装置を固定した斜視図。
第１２図は本発明を実施するための最良の第１の形態の患者顔面の側面を計測する主なポイントを示した図。
第１３図は本発明を実施するための最良の第１の形態の固定台を用いて固定した歯科用咬合ナビ装置を咬合器へ装着した側面図。
第１４図は本発明を実施するための第２の形態のバイトフォークを支持軸へ螺着する斜視図。
第１５図は本発明を実施するための第３の形態のバイトスプーンを支持軸へ螺着する斜視図。
第１６図は本発明を実施するための第４の形態の概略説明図。
第１７図は本発明を実施するための第４の形態のバイトフォークの説明図。
第１８図は本発明を実施するための第４の形態のバイトスプーンの参考図。
第１９図は発明を実施するための第４の形態のカンペル設定ワイヤの取付け説明図。
第２０図は本発明を実施するための第４の形態のロッド周辺部位の説明図。
第２１図は本発明を実施するための第４の形態の他のロッド周辺部位の説明図。
第２２図は本発明を実施するための第４の形態のさらに他のロッド周辺部位の説明図。
第２３図は本発明を実施するための第４の形態の設置状態の説明図。
第２４図は本発明を実施するための第４の形態の支持部位の説明図。
第２５図は本発明を実施するための第４の形態の使用状態の説明図。
第２６図は本発明を実施するための第５の形態の説明図。
第２７図は本発明を実施するための第５の形態の取付け状態の説明図。
第２８図は本発明を実施するための第６の形態の説明図。
第２９図は本発明を実施するための第６の形態の取付け状態の説明図。
第３０図は本発明を実施するための第６の形態の使用状態の説明図。
【発明を実施するための最良の形態】  以下、図面に示す本発明を実施するための最良の形態より、本発明を詳細に説明する。
第３図ないし第１３図に示す本発明の第１の実施するための最良の第１の形態において、１００は、歯科医による患者の顔面と歯の関係を基準採得するために熟練を必要とすることなく素早く短時間に正確に行えるフェイスボウに代わる小型軽量な歯科用咬合ナビ装置であって、歯科技工士は、採得された該歯科用咬合ナビ装置を用いて咬合器に装着して審美的にも機能的にも満足する補綴物を容易に製作できる歯科用咬合ナビ装置である。
第３図は、本発明の歯科用咬合ナビ装置の斜視図を示した図である。
前記歯科用咬合ナビ装置１００は、患者の顔面と歯の関係を基準採得する計測用部品を配置して設けた。該計測用部品は、患者の口腔内に入れ噛んで咬合平面を固定する左右のバイトフォーク７１と、カンペル（Ｃａｍｐｅｒ）平面Ｃを計測採得する左右の耳迄伸ばすカンベル設定ワイヤ５１と、一点の眼窩点を計測採得する眼窩点指示ピン６１と、正中線Ｍを計測採得する正中線指示ロッド（ｒｏｄ）４１と、フランクフルト平面Ｆ上の左右の眼窩点を計測採得する眼窩点ポイント４２１と、咬合平面Ｏを計測採得する咬合平面指示ロッド４３とを設けた構成である。
前記歯科用咬合ナビ装置１００は、計測用部品の一つであるバイトフォーク７１を左右に設けた。該左右のバイトフォーク７１は支持軸と一体に設け、支持軸によって支持する。該支持軸は、支持台８０、８１に固着して設けた構成である。歯科医は、患者顔面と歯の関係を計測採得する計測基準となるよう患者の口腔内に入れ噛んで咬合平面Ｏを固定する。左右のバイトフォーク７１は個々に独立して設けたので従来型のフェイスボウのように馬蹄形をしていないので咬合平面Ｏを遮蔽しない。患者顔面と歯の関係の各ポイントの計測採得が終了するまで左右のバイトフォーク７１は咬合平面Ｏに沿って噛んで固定される。患者の口腔の大きさに合わせるように該バイトフォーク７１の形状を、大型（Ｌ）、中型（ｍ）、小型（Ｓ）として設けた。バイトフォーク７１を使用する場合は、患者の咬合歯型が残るようモデリング用コンパウンドをバイトフォーク７１の両面に塗布する。
前記歯科用咬合ナビ装置１００は、計測用部品の一つであるカンペル（Ｃａｍｐｅｒ）平面Ｃを計測採得するカンペル設定ワイヤ５１と、該カンペル設定ワイヤ５１を固定する固定軸５４とを支持台８０の左右に設けた。該固定軸５４は、支持台８０の左右に間隔を置いて複数設けることもある（複数個は図示せず）。固定軸５４は支持台８０を貫通して上下移動するように設けて、支持台８０に固定軸５４と同数に設けた螺子５５によって固定軸５４を固定する。左右のカンペル設定ワイヤ５１の先端は、左右の耳に引っ掛け固定する耳引っ掛け輪５２と、固定輪５３とを設けた。該固定輪５３は補綴物を製作するとき咬合器のイヤーロケーションピン９３に引っ掛け固定する位置となる個所に設けた。耳に引っ掛けたカンペル設定ワイヤ５１の片方を固定軸５４に設けた孔を通して螺子で固定する。
歯科医は、患者顔面と歯の関係を計測採得する計測基準の一つであるカンペル（Ｃａｍｐｅｒ）平面Ｃを計測採得する。歯科用咬合ナビ装置１００に設けた上記記載のカンペル設定ワイヤ５１を用いて、顔面の平均的顆頭点（ベイロンズポイント）を採用するため左右の耳迄伸ばして計測採得する。耳引っ掛け輪５２を左右の耳に引っ掛け、耳から頬を経由して伸びたカンペル設定ワイヤ５１を用いてカンペル平面Ｃを計測採得する。固定輪５３は補綴物を製作するとき咬合器のイヤーロケーションピン９３に引っ掛け固定する重要な部分である。
第７図は、第３図の眼窩点指示ピンの断面図を示した図である。
前記歯科用咬合ナビ装置１００は、計測用部品の一つである眼窩点指示ピン６１を設けた。一点の眼窩点を計測採得する該眼窩点指示ピン６１は、設けた眼窩点指示軸６２の孔を貫通させて設けた螺子６３で固定する。眼窩点指示ピン６１は眼窩点設定範囲を回転自在に指示して設定するように眼窩点指示軸６２の一方を球形に設けた。該眼窩点指示軸６２の一方の球形を嵌め込めるように、支持台８０に嵌合部６５を設けた。嵌合部６５に嵌め込んだ球形は眼窩点設定範囲を回転自在に動いて指定する個所で螺子６４を調節して固定する構成である。
第５図は、第３図の正中線指示ロッドと、左右の眼窩点ポイントと、咬合平面指示ロッドとの斜視図を示した図である。
前記歯科用咬合ナビ装置１００は、計測用部品である正中線指示ロッド（ｒｏｄ）４１と、左右の眼窩点ポイント４２１と、咬合平面指示ロッド４３とを設けた。
正中線指示ロッド４１は設けた筒状十字型の咬合平面保持部４９で保持して螺子４６で固定して設けた。咬合平面保持部４９は支持柱４１０で支持するように設けた。支持柱４１０は設けた支持部６２３で保持する。支持部６２３の一方を球形として回転自在となるよう設けた。該球形は支持台４０に嵌め込まれ回転自在に動いて指定する個所で固定するように螺子４５を設けた。正中線指示ロッド４１の上下移動は螺子４６を調節して固定する。支持台４０は嵌合してスライドするように裏を山型に設け、設けた螺子６４３で固定する。支持台４０は着脱自在である。
左右の眼窩点ポイント４２１は、設けたＴ型の眼窩点指示ロッド４２に貫通して保持固定できるように螺子を設けた（眼窩点ポイント４２１は、眼窩点指示ロッド４２で補うことで設けない場合もある）。該眼窩点指示ロッド４２は、筒状Ｔ字型に設けた眼窩点保持部４８を貫通して螺子４８１で保持固定する。眼窩点保持部４８は設けた支持柱４１で支持する。上記の該支持柱４１は咬合平面保持部４９で保持して螺子４６で固定する。眼窩点指示ロッド４２の上下移動は咬合平面保持部４９の螺子４６を調節して固定する。水平方向の移動は上記記載の支持台４０を移動する。
咬合平面指示ロッド４３は、咬合平面保持部４９に貫通して保持され螺子４７で固定する。咬合平面保持部４９は前記支持柱４１０で支持する。支持柱４１０は前記支持部６２３で保持する。咬合平面指示ロッド４３の水平方向の移動は前記支持台４０を移動する。
第６図は、第５図の咬合平面指示ロッドの支持台とそれを支持する支持台の斜視図を示した図である。
前記咬合平面指示ロッド４３は、設けた咬合平面保持部４９に保持して設けた螺子４７で固定する。該咬合平面保持部４９は設けた支持柱４１０に固着支持して設けた支持管６２３に支持して設けた螺子４１１で固定する。支持管６２３の一方を球形として設け支持台４０に嵌め込んで設けた。傾斜できる支持管６２３は設けた螺子４５で固定する。支持台４０は水平にスライドするように裏を山型に設け支持台８１に設けた溝８２に嵌合する。支持台４０の位置が決まれば設けた螺子６４３で固定する。支持台８１に目盛８４を設けた。咬合平面指示ロッド４３の上下移動は螺子４１１を緩め調節する。螺子４７を緩めると咬合平面指示ロッド４３は前後の移動と回転自在となる。支持台４０を支持台８１より取外す場合に目盛８４を記録して、記録した目盛８４を読み元の位置に復元することができる。
第８図は、患者顔面を正面から見た主な計測ポイントを示した図である。
歯科医より患者用の補綴物を提供するため患者の顔面を計測採得する。患者顔面を計測する正面かた見た主な計測ポイントは、正中線Ｍと、フランクフルト平面Ｆと、カンペル平面Ｃと、咬合平面Ｏである。参考までにショルダーラインを示す。歯科医より患者の顔面を計測採得した歯科用咬合ナビ装置１００を渡され補綴物を製作する歯科技工士は顔貌との審美的調和を求め正しい顔面の正中線を求める。（参考として文献名：目で見る咬合の基礎知識のＴＨＥ  ＪＯＵＲＮＡＬ  ＯＦ  ＤＥＮＴＡＬ  ＴＥＣＨＮＯＧＹ・ＥＸＴＲＡＩＳＳＵＥ発行２００２年６月２５日歯科技工（別冊）の頁１３１に記載されているように顔面の正中線（垂直線）が上顎中切歯左右の近心隣接面と一致しており、歯冠部歯軸と合致していることが重要とされている）特に咬合平面Ｏと正中線Ｍを含めた垂直的軸配列が大きな影響を与える。顔面との調和は、このように大きな部分から先に決定し、順次歯列、歯肉、歯へと考慮する。
第９図は、第３図の歯科用咬合ナビ装置を用いて正面から顔面を観察した図を示した。
前記記載の歯科用咬合ナビ装置１００を用いて採得するとき先ず患者口腔の左右に挿入して患者はバイトフォーク７１を噛む。咬合平面指示ロッド４３を用いて咬合平面Ｏを計測設定する。正中線指示ロッド（ｒｏｄ）４１を用いて正中線Ｍを計測設定する。眼窩点ポイント４２１を用いてフランクフルト平面Ｆ上の左右の眼窩点ポイントを計測設定する。眼窩点指示ピン６１を用いて一点の眼窩点を計測設定する。カンペル設定ワイヤ５１を用いてカンペル平面Ｃを計測設定する。患者顔面を採得した歯科用咬合ナビ装置１００は、補綴物製作のため歯科技工士へ渡る。歯科技工士は採得した歯科用咬合ナビ装置１００を咬合器に装着する。咬合採得された歯科用咬合ナビ装置１００を正面から観察すると計測用部品で顔面が遮蔽されることなく歯科医の観察する審美的ポイントと口腔内と、歯科技工士の観察する模型上の審美的ポイントと口腔内が共通の概念となる。
第１０図は、固定台の斜視図を示した図である。
固定台２０は、前記記載の歯科用咬合ナビ装置１００を咬合器へ装着のとき咬合器と固定する一対の固定用螺子２３と、咬合器の形状に合わせ装着できるように複数個の螺子孔２４と、歯科用咬合ナビ装置１００に設けた高さ調整用ナット２６を固定できるように嵌め込める凹型をした固定溝２２と、固定溝２２と連携して高さ調整用ナット２６を固定する山型の固定栓２５とを設けた。支持台８０を保持するように設けた高さ調整用ナット２６は、螺子２１と螺合して設けた。高さ調整用ナット２６の一方は球形に設け、設けた支持台８０の裏側中心位置に嵌め込んで設けた。高さ調整用ナット２６の一方に設けた球形により高さ調整用ナット２６は回転するので指示する個所で押圧して固定する螺子２８を設けた構成である。
第１１図は、第１０図の固定台を用いて歯科用咬合ナビ装置を固定した斜視図を示した。前記歯科用咬合ナビ装置１００は、計測用部品の一つである固定台２０を設けた。固定台２０は、歯科用咬合ナビ装置１００を保持固定して計測採得状態を確認するとき、あるいは咬合器へ装着するき用いる。コ型の固定台２０に一対の固定用螺子２３と、咬合器の形状に合わせ装着できるように複数個の螺子孔２４と、歯科用咬合ナビ装置１００の高さ調整用ナット２６を固定するため嵌め込む凹型をした固定溝２２を設けた。該固定溝２２に嵌め込む高さ調整用ナット２６を押圧固定する山型の固定栓２５とを設けた。螺子２１と螺合した高さ調整用ナット２６は、螺子２１を進入方向に螺入して高さを低くでき、螺子２１を逆方向の回動させて高さを高くすることができる。高さ調整用ナット２６の一方の球形により回転できるので高さ調整用ナット２６を指示する個所で螺子２８により押圧して固定する構成である。
第１２図は、第４図の患者顔面の側面を計測する主なポイントを示した図である。歯科医より患者用の補綴物を提供するため患者の顔面を採得する。患者顔面を計測する主なポイントを側面から示す。フランクフルト平面Ｆと、カンペル平面Ｃと、咬合平面Ｏである。
第１３図は、第１０図の固定台を用いて固定した歯科用咬合ナビ装置を咬合器へ装着した側面図である。
患者顔面を採得された前記歯科用咬合ナビ装置１００を固定台２０に固定して咬合器に装着して補綴物の製作に着手する。正しく咬合器に装着して観察することにより顔貌との審美的調和を求め審美的にも機能的にも満足する補綴物を容易に製作することができる。上弓９１と、下弓９２と、イヤーロケーションピン９３と、マウンテンリング９４と、マウンテンリング固定螺子９５とを有した平均的な咬合器に、固定台２０を固定した歯科用咬合ナビ装置１００を装着した側面図である。模型上の正中線Ｍは正中線指示ロッド４１の位置で示される。模型上の咬合平面Ｏは咬合平面指示ロッド４３の位置で示される。模型上の一点の眼窩点は眼窩点指示ピン６１の位置で示される。模型上のフランクフルト平面Ｆ上の左右の眼窩点は眼窩点ポイント４２１の位置で示される。模型上のカンペル平面Ｃはイヤーロケーションピン９３に固定される固定輪５３から伸びたカンペル設定ワイヤ５１の位置で示される。該カンペル設定ワイヤ５１は固定軸５４で螺合固定される。
歯科用咬合ナビ装置１００の部材は主にアルミニウム合金あるいはチタン合金または、強度のあるプラスチックを用いる。カンペル設定ワイヤ５１は、金属の細線を縒って束ねた紐状のワイヤを用いる。また、軽量を省略するならば錆処理を施した鉄あるいはステンレス等を用いることも可能である。
次に、第１４図ないし第３０図に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
第１４図の本発明の第２の実施の形態において前記本発明の第１の実施の形態と主に異なる点は、前記記載の歯科用咬合ナビ装置１００に設けてあるバイトフォークを着脱自在の構造に設け、患者が噛んで使用すると患者の唾液や血液が付着するので、患者の替わる都度、左右に設けたバイトフォーク７２による院内感染を防止することを目的として着脱交換処分する。
第１４図は、バイトフォークを支持軸へ螺着する斜視図である（他の計測部品の図面は省略した）。
前記左右のバイトフォーク７２は設けた螺子７２１と、螺子８１１とを用いて交換着脱できるように設けた支持軸に螺着して支持する。バイトフォーク７２は、支持軸上で方向を微調整できるように螺子７２１と、螺子７２１を受止めるナット７２２と、横方向に微調整できる長方形の螺子孔７２３とを設けた。患者の口腔の大きさに合わせるようにバイトフォーク７２の形状を大型（Ｌ）、中型（ｍ）、小型（Ｓ）として設けた。バイトフォーク７２の支持軸は、支持台８０と、支持台８１とに固着して設けた。バイトフォーク７２を使用する場合は、患者の咬合歯型が残るようモデリング用コンパウンドをバイトフォーク７２の両面に塗布する構成である。
第１５図の本発明の第３の実施の形態において前記本発明の第１の実施の形態と主に異なる点は、第１の実施の形態の歯科用咬合ナビ装置であって、前記歯科用咬合ナビ装置１００は、計測用部品の一つである交換着脱する歯列側面押圧板（以下：バイトスプーンと称する）７３を左右に設けた。患者に使用するバイトスプーン７３は、院内感染を防止するため患者の代わるたびに交換処分する。
第１５図は、バイトスプーンを支持軸へ螺着する斜視図を示した（他の計測部品の図面は省略した）。
前記左右のバイトスプーン７３は設けた螺子７２１と、螺子８１１とを用いて交換着脱できるように設けた支持軸に螺着して支持する。バイトスプーン７３は、支持軸上で方向を微調整できるように螺子７２１と、螺子７２１を受止めるナット７２２と、横方向に微調整できる長方形の螺子孔７２３とを設けた。患者の口腔の大きさに合わせるようにバイトスプーン７３の形状を大型（Ｌ）、中型（ｍ）、小型（Ｓ）として設けた。バイトスプーン７３の支持軸は、支持台８０と、支持台８１とに固着して設けた。バイトスプーン７３を使用する場合は、患者の側面歯型が残るようモデリング用コンパウンドをバイトスプーン７３の内側側面に塗布する構成である。
第１６図ないし第２５図に示す本発明を実施するための第４の形態において、前記本発明を実施するための最良の第１の形態と主に異なる点は、患者を計測する歯科医の計測操作を螺子一つでも減少させ簡略化した。計測用部品を設けた支持台８０と８１は支持台８００で統一した。螺子一つで左右に設けたバイトフォーク７２０あるいはバイトスプーン７３０を着脱自在にできる構造とした。カンペル設定ワイヤ５１を固定するとき螺子を用いないで固定軸５４０の孔に通して固定用キャップ５４１を覆い被せることで固定した。患者の正中線を超高精度に簡単に操作計測できるような仕掛けを支持台８００や、移動支持台４００の周辺に設けた。また、本発明の歯科用咬合ナビ装置を用いて咬合器に装着して補綴物等を製作するとき、各種の咬合器に装着できて正確な補綴物の製作を支援する有効な保持台１１等を設けた。
第１６図ないし第１８図に示す計測用部品の一つである患者の口腔内に入れ噛んで咬合平面を固定するバイトフォーク７２０は左右を手前で一体型として、該一体型の先端を着脱自在として螺子孔７２２を設けた。バイトフォーク７２０の着脱自在の先端を支持台８００に設けた着脱部８１０に挿入して、設けた螺子孔７２２に螺子７２１を螺着して固定できるように設けた。また、バイトスプーン７３０も上記記載と同様な着脱一体型である。設けた螺子孔７３２に螺子７３１を螺着して固定できるように設けた。台形に設けた移動支持台４００は、移動支持台４００が支持台８００の中を移動できるようにくり抜いて設けた。移動支持台４００は、左右に設けた螺子８２０を回転することによって左右自在に滑るように正確に移動して、固定するポイントでは正確に固定する。支持台８００は、保持台１１の保持棒１８と螺合できる保持用螺子孔１４０と、移動支持台４００と螺合する螺子３４と螺子６５１を通す傾斜部用溝８３０等を設けた。螺子８２０を設けた固定部８４０は、支持台８００を左右から固着して設けた。
第１９図に示すように、カンペル平面Ｃを計測採得するカンペル設定ワイヤ５１と、該カンペル設定ワイヤ５１を通す複数個の孔を設けた固定軸５４０を固定部８４０に設けた。固定軸５４０の孔にカンペル設定ワイヤ５１を通して、設けた固定用キャップ５４１を固定軸５４０に覆い被せ固定する。
第２０図ないし第２２図に示すように、一点の眼窩点を計測採得する眼窩点指示ピン６１０は、該眼窩点指示ピン６１０を支持するように設けた前後に傾斜する傾斜部６５０によって支持される。傾斜部６５０は設けた螺子６５１を螺合して位置の固定をする。
眼窩点指示ピン６１０は、歯科用咬合ナビ装置１００を咬合器に装着して補綴物の製作を行うとき咬合器の一点を支え製作を支援する。
また、フランクフルト平面Ｆを計測採得するフランクフルト指示ロッド４２０と、正中線Ｍを計測採得する正中線指示ロッド３０と、咬合平面Ｏを計測採得する咬合平面指示ロッド４３等を支持する支持管６２４と、支持柱３１を支持して左右に傾斜するように設けた傾斜部３３によって支持される。傾斜部３３は設けた螺子３４を螺合して位置の固定をする。
さらに、垂直方向へ移動するときは螺子３２を緩め支持管６２４を上下調整できる。正中線支持ロッド３０と、咬合平面指示ロッド４３を前後に傾斜するときは螺子６２５を緩め調整できる。フランクフルト指示ロッド４２０上下方向へ移動するときは螺子４２３を緩め調整できる。
本発明の歯科用咬合ナビ装置１００を用いて咬合器に装着して入歯（補綴物）等を製作する場合、第２３図および第２４図に示すように、各種の咬合器に装着できて正確な補綴物の製作を支援する有効な保持台１１等を設けた。保持台１１は、金属片で設けられ裏面は強力な磁石を嵌めている。金属の棒で設けた支持棒１２、保持棒１８である。支持棒１２と保持棒１８は、支持棒保持部１３と、保持棒保持部１５とを通過させ螺子１６で固定させられる。位置決めは、螺子１６を緩める支持棒１２と、保持棒１８との方向性は自在となる。支持台８００に設けた保持用螺子孔１４０と、保持棒１４先端に設けた螺子とが螺合して保持する。装置台１９は、金属板で設けてあるため強力な磁石を設けた保持台１１は支持台８００を安定した状態で保持できる。
第２５図は歯科用咬合ナビ装置１００を用いて咬合器に装着した正面図である。
歯科用咬合ナビ装置１００の支持台８００を保持棒１８で保持して、保持棒１８を保持棒保持部１５と、支持棒１２を支持棒保持部１７とを螺子１６で螺合固定する。支持棒保持部１７は支持棒１２を保持し、支持棒１２は保持台１１と螺着する。
カンペル平面Ｃを計測採得するカンペル設定ワイヤ５１に設けた固定輪５３を咬合器のイヤーロケーションピン９３に固定させ、一方を支持台８００の固定軸５４０に固定する。眼窩点指示ピン６１０は、歯科用咬合ナビ装置１００を咬合器に装着して補綴物の製作を行うとき咬合器の一点を支え製作を支援する。
補綴物の製作において、歯科用咬合ナビ装置１００を咬合器に装着して正面から観察を行い製作を開始する。製作を開始するに当たり正中線支持ロッド３０等で患者の基準点は明確になり、螺子３４を緩めそれらを取り外した状態で製作を開始できるので前面が開け製作をするには快適である。
院内感染防止のために、バイトフォーク７２０とバイトスプーン７３０と、左右のカンペル設定ワイヤ５１を患者が替わるごとに交換して医療廃棄を行う。
第２６図および第２７図に示す本発明を実施するための第５の形態において、前記本発明を実施するための最良の第１の形態と主に異なる点は、前記歯科用咬合ナビ装置１００と併用する、咬合平面保持部４９で保持され螺子４７で固定される咬合平面指示ロッド４３を螺子４７を調節して交換差し替えて使用することができる前歯人工歯排列板４３１を用いた点で、第２６図に示すように、前歯人工歯排列板４３１は、患者の正中線Ｍを中心に上顎前歯人工歯左右の３本をワックスで貼り付け乗せられる最適の傾斜と、患者の上顎前歯湾曲部分に合致するに最適な湾曲部を設けた上顎前歯湾曲部と、該上顎前歯湾曲部は咬合平面保持部４９で保持できるように保持ロッドを設けた構造である。正中線Ｍを計測採得する正中線指示ロッド４１と、一体構造の咬合平面を咬合採得する咬合平面保持部４９で保持され螺子４７で固定される咬合平面指示ロッド４３を螺子４７を調節して交換差し替えて使用し、該前歯人工歯排列板４３１は患者の上顎前歯の湾曲部分に合致するよう大型（Ｌ）と、中型（ｍ）と、小型（Ｓ）とを設けた。
第２７図は、前歯人工歯排列板を保持する咬合平面保持部を示した斜視図である。
前歯人工歯排列板４３１の保持ロッドは、筒状十字型の咬合平面保持部４９を貫通して螺子４７で固定するよう設けてある。咬合平面保持部４９は支持柱４１０に固着して設け、該支持柱４１０は上下移動できるように、支持管６２３に挿入して螺子４１１で固定できるように設けた。該支持管６２３の一方を球形として設けた支持台４０に嵌め込んで設けてある。支持管６２３の一方が球形であるため支持管６２３は傾斜できる。支持管６２３の傾斜した位置で螺子４５を用いて固定できるように設けた。支持台４０の裏面は山型に設けられ、設けた支持台８１に設けた溝８２に支持台４０の山型が嵌合して水平にスライドできるように設けた。支持台４０は位置を決め螺子６４３で固定できる。支持台８１の側面には目盛８４を設け、支持台４０の位置を知ることができる。目盛８４は前歯人工歯排列板４３１を咬合平面指示ロッド４３と交換する場合に必要となる。また、歯科医から技工士へ計測採得した歯科用咬合ナビ装置を渡すとき（物流：送付するとき）支持台４０の目盛８４を記録し通知しておけば、支持台４０を支持台８１より外して全体を小さくして安全に送付することができる構成である。
上記構成の前歯人工歯排列板４３１を使用する場合、歯科医は患者の頭蓋と顔面の計測採得し正中線Ｍを確定した位置で、該前歯人工歯排列板４３１を用いて患者の頭蓋と顔面に対する基準ポイントやその他位置関係から位置や角度を確認し、患者が要求する審美的であり機能的とされる観点から一本一本吟味して前歯人工歯排列を行うことができる。
歯科医により歯科用咬合ナビ装置１００を用いて患者の頭蓋と顔面の主要なポイントの咬合探得が行われた後、引続いて歯科用咬合ナビ装置１００と併用して、本発明の前歯人工歯排列板４３１が使用される。歯科用咬合ナビ装置１００は患者の正中線Ｍを咬合採得しているので、患者に適した前歯の形状や大きさや色あるいは材質が決められる。正中線Ｍを中心として左の中切歯と、右の中切歯との位置は、多くの歯の種類。大きさ・色・材質のサンプルから１本１本吟味して決められる。１本１本吟味して決められるので審美的に機能的に有効である。
患者の頭蓋と顔面等を咬合得採された歯科用咬合ナビ装置１００は、併用した前歯人工歯排列板４３１は、正中線Ｍを中心に左右の中切歯の人工歯の種類まで決定され技工士に渡される。技工士は咬合採得された前歯人工歯排列板４３１と併用した歯科用咬合ナビ装置１００を受け取り咬合床に上顎前歯人工歯排列の指示に従い咬合床の上顎前歯左右に人工歯排列が行われる構成である。
第２８図ないし第３０図に示す本発明を実施するための第６の形態において、前記本発明を実施するための第５の形態と主に異なる点は、前記歯科用咬合ナビ装置１００と併用する、咬合平面保持部４９で保持され螺子４７で固定される咬合平面指示ロッド４３を螺子４７を調節して交換差し替えて使用することができる臼歯人工歯咬合平面板４３２を用いた点で、この臼歯人工歯咬合平面板４３２は、咬合器に取付け上顎前歯の位置決めのため既に待機している石膏模型上の咬合床の上顎前歯に前記記載の前歯人工歯排列板４３１によって、患者の正中線Ｍを中心に前歯左右３本の位置を決める前歯人工歯排列が行われた後、該前歯人工歯排列に基づいて患者の前歯上顎の左右の臼歯人工歯の排列に使用できるように平面状にした臼歯人工歯咬合平面板４３２の上で一本一本吟味して咬合排列できるように設けた。該臼歯人工歯咬合平面板４３２は、正中線Ｍを咬合採得する正中線指示ロッド４１と、一体構造の咬合平面を咬合採得する咬合平面保持部４９で保持され螺子４７で固定される咬合平面指示ロッド４３を螺子４７を調節して交換差し替えて使用できるように臼歯人工歯咬合平面板４３２に保持ロッドを設けた。臼歯人工歯咬合平面板４３２は患者の口腔に合わせて大型（Ｌ）と、中型（ｍ）と、小型（Ｓ）とを設けた。
第２９図は、臼歯人工歯咬合平面板を保持する咬合平面保持部を示した斜視図である。
臼歯人工歯咬合平面板４３２の保持ロッドは、筒状十字型の咬合平面保持部４９を貫通して螺子４７で固定するよう設けてある。咬合平面保持部４９は支持柱４１０に固着して設け、該支持柱４１０は上下移動できるように、支持管６２３に挿入して螺子４１１で固定できるように設けた。該支持管６２３の一方を球形として設けた支持台４０に嵌め込んで設けてある。支持管６２３の一方が球形であるため支持管６２３は傾斜できる。支持管６２３の傾斜した位置で螺子４５を用いて固定できるように設けた。支持台４０の裏面は山型に設けられ、設けた支持台８１に設けた溝８２に支持台４０の山型が嵌合して水平にスライドできるように設けた。支持台４０は位置を決め螺子６４３で固定できる。支持台８１の側面には目盛８４を設け、支持台４０の位置を目盛８４で知ることができる。目盛８４は臼歯人工歯咬合平面板４３２を咬合平面指示ロッド４３と交換する場合に必要となる。また、目盛８４は歯科医から技工士へ咬合採得した歯科用咬合ナビ装置を渡すとき（物流：送付するとき）支持台４０の目盛８４を記録しておけば、支持台４０を支持台８１より外して全体を小さくして安全に送付することができる。支持台４０を復元するときは目盛８４を通知することで正確に復元できる構成である。
第３０図は、前記歯科用咬合ナビ装置と併用した臼歯人工歯咬合平面板４３２を固定台を使用して咬合器へ装置した一部を切欠いた斜視図である。
咬合器に取付けた咬合床の図は省略する。咬合採得済の歯科用咬合ナビ装置１００と併用した臼歯人工歯咬合平面板４３２を固定台２０を使用して咬合器へ装置した斜視図である。固定台２０は、前記歯科用咬合ナビ装置１００を咬合器へ装置のとき固定する一対の固定用螺子２３と、咬合器の形状に合わせ螺子孔２４を選び装着する。咬合器に装着して患者の頭蓋と顔面と顔立より審美的調和を求め審美的にも機能的にも満足する臼歯人工歯の排列を行うことができる。また、固定台２０を磁化して固定台２０を置く作業台に鉄板を敷いて設ける。図の部品の名称は、上記歯科用咬合ナビ装置１００と併用した臼歯人工歯咬合平面板４３２を固定台２０を使用して咬合器へ装置した上記記載の側面図と同じであるため咬合器の説明を省略する。
なお、歯科用咬合ナビ装置１００あるいは前歯人工歯排列板４３１および臼歯人工歯咬合平面板４３２の使用する部材は軽量であることが望まれ、主にアルミニュウム合金あるいはチタン合金または、強度のあるプラスチックを用いる。カンペル設定ワイヤ５１は、金属の細線を縒って束ねた紐状のワイヤあるいは、テグス等を用いる。また、軽量を目的としないならば錆処理を施した鉄あるいはステンレス等を用いる。強力に保持固定するため強磁性体である錆処理をした鉄やニッケルあるいはコバルト等の材質を使用して固定台２０を磁化して設けてもよい。
また、院内感染防止のために、前歯人工歯排列板４３１および臼歯人工歯咬合平面板４３２を患者が替わるごとに交換して医療廃棄を行う。
以上の説明から明らかなように、本発明にあっては次に列挙する効果が得られる。
（１）患者の顔面と歯の関係を基準採得するよう配置して設けた計測用部品と、該計測用部品は、患者の口腔内に入れ噛んで咬合平面を固定する左右のバイトフォークと、カンペル平面（Ｃ）を計測採得する左右の耳迄伸ばすカンペル設定ワイヤと、一点の眼窩点を計測採得する眼窩点指示ピンと、正中線（Ｍ）を計測採得する正中線指示ロッドと、フランクフルト平面（Ｆ）上の左右の眼窩点を計測採得する眼窩点ポイントと、咬合平面（Ｏ）を計測採得する咬合平面指示ロッドと、支持台を保持して回転する高さ調整用ナットと螺合する螺子と、固定用の螺子とで構成されているので、熟練を必要とするフェイスボウに代わり素早く短時間に審美的ポイントと基準ポイントの計測採得ができる小型軽量な計測採得装置であって咬合器に装着して審美的にも機能的にも満足する補綴物を容易に製作できる。
（２）前記（１）によって、補綴物を製作する歯科技工士は、採得された歯科用咬合ナビ装置を用いて固定台と咬合器に装着して、歯科用咬合ナビ装置の各測定用部品に遮蔽されることなく物理的に正中線と、左右の眼窩点と、１点の眼窩点と、フランクフルト平面（一点の眼窩点と、左右の眼窩点は眼窩点ポイントと）と、カンペル平面Ｃと、咬合平面等が模型上で決定できる。咬合平面を遮蔽しないバイトフォークの形状とすることで左右の中切歯より正しい正中線とを決定することができる。支持台を支持台より取外しできるので物流の際、物流対策が簡単である。
（３）前記（１）によって、患者に使用するバイトフォークあるいは、バイトスプーンは使用の都度新品と交換処分するので患者自身が清潔感を感じ、また、院内感染症の予防となる。バイトフォークあるいは、バイトスプーンは、患者の口腔内に合わせるように形状を大型、中型、小型として設けたので正確な咬合歯型が計測採得ができる。
したがって、このように採得された歯科用咬合ナビ装置を固定台に固定して咬合器に装着して審美的にも機能的にも満足する補綴物を容易に製作できる歯科用咬合ナビ装置を供給できる。
（４）請求項２〜１０も前記（１）〜（３）と同様の効果が得られる。
（５）請求項１１も前記（１）〜（３）と同様の効果が得られるとともに、歯科医による前歯人工歯排列を定める基準である正中線は既に歯科用咬合ナビ装置で咬合採得され、そのうえ咬合平面指示ロッドで咬合平面が定まっているので、前歯人工歯排列板を交換するのみで正中線は既に決っている診療環境において、患者の正中線を中心に上顎前歯人工歯左右の３本をワックスで貼り付け乗せるに最適の傾斜を有して、患者上顎前歯と一致できるような上顎前歯湾曲部を設けた前歯人工歯排列板であるので、前歯人工歯排列板を筒状十字型の咬合平面保持部を貫通して螺子で固定すればよく、その延長線上となる口腔内の上顎前歯人工歯排列の中心位置は既に決定されているので、上顎前歯人工歯の排列は、患者の口腔内の上顎前歯湾曲部分に前歯人工歯排列板をあてがい人工歯の大きさ・色・材質を患者の審美的で機能的であることに専念して患者の頭蓋と顔面と顔立より最適の前歯人工歯排列を決めることができる。
（６）前記（５）によって、前歯人工歯排列板は患者前歯の湾曲部分に合致するよう大型（Ｌ）と、中型（ｍ）と、小型（Ｓ）とを設けてあるので患者の前歯人工歯排列に適した大きさを選び診療効率を高めることができる。
（７）請求項１２も前記（１）〜（３）と同様の効果が得られるとともに、歯科用咬合ナビ装置と併用した臼歯人工歯咬合平面板は、固定器を用いて咬合器に装着する。臼歯人工歯咬合平面板は、上記記載の前歯人工歯排列板で決められた上顎前歯人工歯排列を基準として上顎臼歯人工歯排列を決めるとき臼歯人工歯咬合平面板を用いて該臼歯人工歯咬合平面板上で一本一本吟味して人工歯の大きさ・色・材質を定め患者の機能的であることに専念して咬合排列できるので最良の製作環境において短時間に作業を行うことができる。
（８）前記（７）によって、臼歯人工歯咬合平面板は患者口腔の大きさに合わせて大型（Ｌ）と、中型（ｍ）と、小型（Ｓ）とを設けてあるので患者の臼歯人工歯排列に適した大きさを選び製作効率を高めることができる。
産業上の利用分野
本発明は歯科用咬合ナビ装置を製造、販売する産業で利用され、また歯科医や歯科技工士等で使用される。
【図１】
2004110296.tif 000003
【図２】
2004110296.tif 000004
【図３】
2004110296.tif 000005
【図４】
2004110296.tif 000006
【図５】
2004110296.tif 000007
【図６】
2004110296.tif 000008
【図７】
2004110296.tif 000009
【図８】
2004110296.tif 000010
【図９】
2004110296.tif 000011
【図１０】
2004110296.tif 000012
【図１１】
2004110296.tif 000013
【図１２】
2004110296.tif 000014
【図１３】
2004110296.tif 000015
【図１４】
2004110296.tif 000016
【図１５】
2004110296.tif 000017
【図１６】
2004110296.tif 000018
【図１７】
2004110296.tif 000019
【図１８】
2004110296.tif 000020
【図１９】
2004110296.tif 000021
【図２０】
2004110296.tif 000022
【図２１】
2004110296.tif 000023
【図２２】
2004110296.tif 000024
【図２３】
2004110296.tif 000025
【図２４】
2004110296.tif 000026
【図２５】
2004110296.tif 000027
【図２６】
2004110296.tif 000028
【図２７】
2004110296.tif 000029
【図２８】
2004110296.tif 000030
【図２９】
2004110296.tif 000031
【図３０】
2004110296.tif 000032
【国際調査報告】
2004110296.tif 000033
2004110296.tif 000034
2004110296.tif 000035
2004110296.tif 000036